(57)【要約】      （修正有）【課題】排出ダクトを不要にしてダクト設置工事費の削減、メンテナンス性向上させるとともに、店舗全体の省エネを図ることが可能な店舗内排熱処理システムを提供する。【解決手段】店舗内の側壁沿いに配設されたショーケース２０に内蔵される冷凍機２３の排熱を処理するための店舗内排熱処理システムであって、局所的な冷却を目的とした局所空調機２８と、冷凍機２３の排熱をショーケース２０から外部へ送出するとともに、送出方向を変えることができるルーバー２６を有する排気手段と、所定の場所の温度に基づき、局所空調機２８の運転停止及び排気手段のルーバー２６の方向を制御する排熱制御装置を備える。【選択図】図２
2019049394.tif 000002
【特許請求の範囲】
【請求項１】
店舗内の側壁沿いに配設されたショーケースに内蔵される冷凍機の排熱を処理するための店舗内排熱処理システムであって、
局所的な冷却を目的とした局所空調機と、
前記冷凍機の排熱をショーケースから外部へ送出するとともに、送出方向を変えることができるルーバーを有する排気手段と、
所定の場所の温度に基づき、前記局所空調機の運転停止及び前記排気手段のルーバーの方向を制御する排熱制御装置と、
を備えたことを特徴とする店舗内排熱処理システム。
【請求項２】
前記排熱制御装置は、前記冷凍機の排熱を冷やす為に、前記ショーケースの近傍天井域に配設された前記局所空調機を運転させるとともに、該排熱が前記局所空調機側に向かって流出するようにルーバー方向を制御する（以下、制御１という）こと、及び／又は、該排熱を利用して店舗内を温める為に、前記局所空調機を停止するとともに、前記局所空調機側とは反対側に向かって流出するようにルーバー方向を制御する（以下、制御２という）ことを特徴とする請求項１に記載の店舗内排熱処理システム。
【請求項３】
前記排熱制御装置は、前記所定の場所の温度が閾値１以上である場合に制御１を、前記所定の場所の温度が閾値２（＜閾値１）未満である場合に制御２を行うことを特徴とする請求項２に記載の店舗内排熱処理システム。
【請求項４】
前記排熱制御装置は、前記所定の場所の温度が閾値２以上かつ閾値１未満である場合、前記制御１と前記制御２を所定の時間間隔で切替えて制御することを特徴とする請求項３に記載の店舗内排熱処理システム。
【請求項５】
店舗内の所定箇所の天井域にメイン空調機を備え、
前記排熱制御装置は、店舗内の前記メイン空調機が冷房運転をしている場合に制御１を、店舗内の前記メイン空調機が暖房運転をしているときは制御２を行うことを特徴とする請求項２に記載の店舗内排熱処理システム。
【請求項６】
前記排熱制御装置は、店舗内の前記メイン空調機が冷暖房運転を停止している場合、前記局所空調機を停止し、ルーバー方向を上側に制御することを特徴とする請求項５に記載の店舗内排熱処理システム。
【請求項７】
店舗内の側壁沿いに配設されたショーケースに内蔵される冷凍機の排熱を処理するための店舗内排熱処理システムであって、
局所的な冷却を目的とした局所空調機と、
前記局所空調機を制御する排熱制御装置と、
前記冷凍機の排熱が店舗内へ流れ出ないように前記ショーケース上部と天井の隙間に垂れ壁を設けるとともに、前記ショーケースの近傍天井域に配設された前記局所空調機側を閉口して、前記ショーケース上部面と店舗の側壁と店舗の天井面並びに前記垂れ壁で構成された半閉鎖空間を備えて構成し、
前記排熱制御装置は、所定の場所の温度に基づき、前記局所空調機を運転及び停止する制御を行うことを特徴とする店舗内排熱処理システム。
【請求項８】
前記排熱制御装置は、前記所定の場所の温度が閾値１以上である場合に前記局所空調機を運転し、前記所定の場所の温度が閾値２（＜閾値１）未満である場合に前記局所空調機を停止することを特徴とする請求項７に記載の店舗内排熱処理システム。
【請求項９】
前記排熱制御装置は、前記所定の場所の温度が閾値２以上かつ閾値１未満である場合、前記局所空調機の運転と停止を所定の時間間隔で切替えて制御することを特徴とする請求項８に記載の店舗内排熱処理システム。
【請求項１０】
店舗内の所定箇所の天井域にメイン空調機を備え、
前記排熱制御装置は、店舗内の前記メイン空調機が冷房運転をしている場合に前記局所空調機を運転し、店舗内の前記メイン空調機が暖房運転をしているときは前記局所空調機を停止することを特徴とする請求項７に記載の店舗内排熱処理システム。
【請求項１１】
前記排熱制御装置は、店舗内の前記メイン空調機が冷暖房運転を停止している場合、前記局所空調機を停止することを特徴とする請求項１０に記載の店舗内排熱処理システム。
【発明の詳細な説明】
【技術分野】
【０００１】
本発明は、コンビニエンスストア等の店舗内に配設されたショーケースに内蔵される冷凍機の排熱を処理するための装置に関するものである。
【背景技術】
【０００２】
近年、スーパーマーケットやコンビニエンスストア等の店舗では、現地での配管工事が不要であり、設置が比較的容易であることから冷凍機を内蔵したショーケースが設置されることが多くなってきている。しかし、このようなショーケースを店舗に設置した場合には、冷凍機の排熱を店舗外へ排出する為に排出ダクトを必要とし、設置作業が思ったほど容易にはならないという課題があった。
【０００３】
この課題を解決する手段として、樹脂やガラス等で形成された矩形平板状のパネルを用いてショーケース上部の空間を給気領域と排気領域に区画して、冷凍機の排熱処理する技術が開示されている（例えば、特許文献１参照）。
【０００４】
また、この課題を解決する手段として、店舗の天井に導入口と送出口を設けるとともに、給気ファンまたは排気ファンもしくはその両方を天井裏に設置し、天井裏の空間を利用して冷凍機の排熱処理する技術が開示されている（例えば、特許文献２参照）。
【先行技術文献】
【特許文献】
【０００５】
【特許文献１】特開２０１６−１４５６９６号公報
【特許文献２】特開２０１６−２０５６５１号公報
【発明の概要】
【発明が解決しようとする課題】
【０００６】
本発明は、上記実情に鑑みて、排出ダクトを不要にしてさらにダクト設置工事費の削減、メンテナンス性向上させるとともに、店舗全体の省エネを図ることが可能な店舗内排熱処理システムを提供することを目的とする。
【課題を解決するための手段】
【０００７】
上記目的を達成するために、本発明に係る店舗内排熱処理システムは、店舗内の側壁沿いに配設されたショーケースに内蔵される冷凍機の排熱を処理するための店舗内排熱処理システムであって、局所的な冷却を目的とした局所空調機と、前記冷凍機の排熱をショーケースから外部へ送出するとともに、送出方向を変えることができるルーバーを有する排気手段と、所定の場所の温度に基づき、前記局所空調機の運転停止及び前記排気手段のルーバーの方向を制御する排熱制御装置と、を備えたことを特徴とする。
【０００８】
また、本発明に係る店舗内排熱処理システムは、前記排熱制御装置が、前記冷凍機の排熱を冷やす為に、前記ショーケースの近傍天井域に配設された前記局所空調機を運転させるとともに、該排熱が前記局所空調機側に向かって流出するようにルーバー方向を制御する（以下、制御１という）こと、及び／又は、該排熱を利用して店舗内を温める為に、前記局所空調機を停止するとともに、前記局所空調機側とは反対側に向かって流出するようにルーバー方向を制御する（以下、制御２という）ことを特徴とする。
【０００９】
また、本発明に係る店舗内排熱処理システムは、前記排熱制御装置が、前記所定の場所の温度が閾値１以上である場合に制御１を、前記所定の場所の温度が閾値２（＜閾値１）未満である場合に制御２を行うことを特徴とする。
【００１０】
また、本発明に係る店舗内排熱処理システムは、前記排熱制御装置が、前記所定の場所の温度が閾値２以上かつ閾値１未満である場合、前記制御１と前記制御２を所定の時間間隔で切替えて制御することを特徴とする。
【００１１】
また、本発明に係る店舗内排熱処理システムは、店舗内の所定箇所の天井域にメイン空調機を備え、前記排熱制御装置が、店舗内のメイン空調機が冷房運転をしている場合に制御１を、店舗内のメイン空調機が暖房運転をしているときは制御２を行うことを特徴とする。
【００１２】
また、本発明に係る店舗内排熱処理システムは、前記排熱制御装置が、店舗内の前記メイン空調機が冷暖房運転を停止している場合、前記局所空調機を停止し、ルーバー方向を上側に制御することを特徴とする。
【００１３】
また、本発明に係る店舗内排熱処理システムは、店舗内の側壁沿いに配設されたショーケースに内蔵される冷凍機の排熱を処理するための店舗内排熱処理システムであって、
局所的な冷却を目的とした局所空調機と、前記冷凍機の排熱をショーケースから外部へ送出する排気手段と、前記局所空調機を制御する排熱制御装置と、前記冷凍機の排熱が店舗内へ流れ出ないように前記ショーケース上部と天井の隙間に垂れ壁を設けるとともに、前記ショーケースの近傍天井域に配設された前記局所空調機設置側を閉口して、前記ショーケース上部面と店舗の側壁と店舗の天井面並びに前記垂れ壁で構成された半閉鎖空間を備えて構成し、前記排熱制御装置は、所定の場所の温度に基づき、前記局所空調機を運転及び停止する制御を行うことを特徴とする。
【００１４】
また、本発明に係る店舗内排熱処理システムは、前記排熱制御装置が、前記所定の場所の温度が閾値１以上である場合に前記局所空調機を運転し、前記所定の場所の温度が閾値２（＜閾値１）未満である場合に前記局所空調機を停止することを特徴とする。
【００１５】
また、本発明に係る店舗内排熱処理システムは、前記排熱制御装置が、前記所定の場所の温度が閾値２以上かつ閾値１未満である場合、前記局所空調機の運転と停止を所定の時間間隔で切替えて制御することを特徴とする。
【００１６】
また、本発明に係る店舗内排熱処理システムは、店舗内の所定箇所の天井域にメイン空調機を備え、前記排熱制御装置が、店舗内の前記メイン空調機が冷房運転をしている場合に前記局所空調機を運転し、店舗内の前記メイン空調機が暖房運転をしているときは前記局所空調機を停止することを特徴とする。
【００１７】
また、本発明に係る店舗内排熱処理システムは、前記排熱制御装置が、店舗内の前記メイン空調機が冷暖房運転を停止している場合、前記局所空調機を停止することを特徴とする。
【発明の効果】
【００１８】
本発明によれば、局所的な冷却を目的とした局所空調機と、前記冷凍機の排熱をショーケースから外部へ送出するとともに、送出方向を変えることができるルーバーを有する排気手段と、前記局所空調機及び前記排気手段を制御する排熱制御装置を備え、前記排熱制御装置が、夏季（所定の場所の温度が閾値１以上である場合、あるいは店舗内のメイン空調機が冷房運転をしている場合）に、前記局所空調機を運転させるとともに排熱が前記局所空調機側に向かって流出するようにルーバー方向を制御するようにした為、排気ダクトを設ける必要がなく初期工事費の低減、メンテナンス性向上という効果を奏する。
【００１９】
また、冬季（所定の場所の温度が閾値２（＜閾値１）未満である場合、あるいは店舗内のメイン空調機が暖房運転をしている場合）に、前記局所空調機を停止するとともに排熱を利用して温める側（例えば、カウンター近傍）に向かって流出するようにルーバー方向を制御するようにした為、店員の滞在時間が最も長い場所であるカウンタ近傍では排熱暖房効果によりメイン空調機は店舗全体を過剰に温める必要がなくなり、店舗全体の省エネ効果が得られるという効果を奏する。
【００２０】
また、季節の中間期（所定の場所の温度が閾値２以上かつ閾値１未満である場合、あるいは店舗内メイン空調機が冷暖房運転を停止している場合）に、前記制御１と前記制御２を所定の時間間隔で切替えて制御、あるいは局所空調機を停止することにしているため、更なる省エネ化が可能となる効果も奏する。
【図面の簡単な説明】
【００２１】
【図１】図１は、本発明の実施の形態１である店舗内排熱処理システムが適用された店舗の室の内部を上方から見た場合の概略図である。
【図２】図２は、図１に示した店舗の室を側方から見た場合の概略図（ショーケース配設側）である。
【図３】図３は、本発明の実施の形態１における店舗内排熱処理システムの制御内容（温度センサー使用時）を示すフローチャートである。
【図４】図４は、本発明の実施の形態１における店舗内排熱処理システムの制御内容の変形例（メイン空調機の設定情報利用時）を示すフローチャートである。
【図５】図５は、本発明の実施の形態２である店舗内排熱処理システムが適用された店舗の室の内部を上方から見た場合の概略図である。
【図６】図６は、図５に示した店舗の室を側方から見た場合の概略図（ショーケース配設側）である。
【図７】図７は、本発明の実施の形態２における店舗内排熱処理システムの制御内容（温度センサー使用時）を示すフローチャートである。
【図８】図８は、本発明の実施の形態２における店舗内排熱処理システムの制御内容の変形例（メイン空調機の設定情報利用時）を示すフローチャートである。
【発明を実施するための形態】
【００２２】
以下に添付図面を参照して、本発明に係る店舗内排熱処理システムの好適な実施の形態について詳細に説明する。
＜実施形態１＞
図１は、本発明の実施の形態１である店舗内排熱処理システムが適用された店舗の室の内部を上方から見た場合の概略図であり、図２は、図１に示した店舗の室を側方から見た場合の概略図（ショーケース配設側）である。ここで例示する店舗内排熱処理システムは、例えばコンビニエンスストア等の店舗１０の室１１に配設された３台のショーケース２０Ａ〜２０Ｃ（以下、ショーケース２０Ａ〜２０Ｃを「ショーケース２０」と総称する。）の排熱処理を行うものである。
【００２３】
このショーケース２０は、いわゆるオープンショーケースと呼ばれるもので前面が開口された状態で収納室２１の棚２２に置かれた商品を所望の温度に保持して収納するものである。尚、図１中の符号１２は、店舗１０の出入口であり、符号１３は、該室１１のメイン空調機、符号１４は、従業員が商品の精算処理を行うカウンタである。
【００２４】
かかるショーケース２０においては、収納室２１の上方域に冷凍機２３が設けられている。冷凍機２３は、圧縮機２３１と凝縮器２３２とを備えており、収納室２１の内部空気を冷却する蒸発器（図示せず）に液状の冷媒を供給するとともに該蒸発器から気化した冷媒を吸引することで該蒸発器と冷凍システムを構成するものである。図２中の符号２３３は、凝縮器２３２の近傍に配設された排熱ファンで、凝縮器２３２を空冷し冷凍機からの排熱を排出するもので、後述するルーバー２６とともに特許請求の範囲で記載している排気手段に相当する。
【００２５】
また、上記ショーケース２０においては、ショーケース２０上方側前面に給気口２４が形成してあるとともに上面後方側に排気口２５が形成してある。給気口２４は、冷凍機２３と熱交換を行うための空気が供給される開口である。排気口２５は、冷凍機２３と熱交換を行った空気を排出するための開口である。そして、排気口２５には、ルーバー２６が取り付けられている。ルーバー２６は、角度が調整できるように構成されており冷凍機２３と熱交換され温められた排熱を排出する方向を、後述する排熱制御装置２７により変えることができるものである。
【００２６】
局所空調機２８は、ショーケース２０の横側でカウンタ１４とは反対方向の室１１の天井に配設されており、その中央部に吸込口２８１が形成され、ショーケース２０の上面後方側の排気口２５から排出された排熱が、この吸込口２８１へ吸込まれていくものである。かかる局所空調機２８は、吸込口２８１を通じて吸込んだ冷凍機２３の排熱を冷却して吹出口２８２より室１１の内部に吹出するものである。
【００２７】
温度センサー２９は、店舗１０の外側で出入口１２の近傍に取り付けられており、外気温度を計測するものである。なお、図１では店舗１０の外側に取り付けているが、排熱を店舗内暖房に有効に利用するかどうかの判断できる場所に取り付ければいいので、店舗の外側に限らず店舗内でも良い。
【００２８】
排熱制御装置２７は、局所空調機２８の運転及び停止制御を行うものである。また、排熱制御装置２７は、ショーケース２０の排気口２５に取り付けられたルーバー２６の角度を制御するものである。
【００２９】
具体的には、排熱制御装置２７は、温度センサー２９により計測した外気温度が閾値１（例えば、２５℃）以上あるいはメイン空調機１３が冷房運転をしている場合、局所空調機２８を運転させるとともに、ルーバー２６の角度を局所空調機２８方向に向けるように制御（以下、制御１という。）をするものである。
【００３０】
また、排熱制御装置２７は、温度センサー２９により計測した外気温度が閾値２（例えば、１５℃）未満あるいはメイン空調機１３が暖房運転をしている場合、局所空調機２８を停止するとともに、ルーバー２６の角度をカウンタ１４方向に向けるように制御（以下、制御２という。）をするものである。
【００３１】
また、排熱制御装置２７は、温度センサー２９により計測した外気温度が閾値２以上かつ閾値１未満の場合、所定の時間間隔（例えば、１０分）で制御１と制御２を交互に切替て制御をするものである。なお、閾値１、閾値２、及び所定の時間間隔は、店舗条件，温度条件により可変できるものである。
【００３２】
次に、本発明の実施の形態１における店舗内排熱処理システムの制御について説明する。図３は、本発明の実施の形態１における店舗内排熱処理システムの制御内容（温度センサー使用時）を示すフローチャートである。
【００３３】
まず、排熱制御装置２７は、温度センサー２９で計測した外気温度を読み込む（ステップＳ１０１）。次に、読み込んだ外気温度と排熱制御装置２７に記憶されている閾値１とを比較する（ステップＳ１０２）。外気温度が閾値１以上である場合（ステップＳ１０２：Ｙｅｓ）、局所空調機２８を運転する（ステップＳ１０３）とともに、ショーケース２０上面後方側の排気口２５に取り付けられているルーバー２６を局所空調機２８方向に制御し（ステップＳ１０４）、その後、ステップＳ１０１へ戻り、外気温度を読み込む。
【００３４】
一方、読み込んだ外気温度が排熱制御装置２７に記憶されている閾値１未満である場合（ステップＳ１０２：Ｎｏ）、外気温度と排熱制御装置２７に記憶されている閾値２とを比較する（ステップＳ１０５）。外気温度が閾値２未満である場合（ステップＳ１０５：Ｙｅｓ）、局所空調機２８を停止する（ステップＳ１０６）とともに、ショーケース２０上面後方側の排気口２５に取り付けられているルーバー２６をカウンタ１４方向に制御し（ステップＳ１０７）、その後、ステップＳ１０１へ戻り、外気温度を読み込む。
【００３５】
一方、外気温度が閾値２以上である場合（ステップＳ１０５：Ｎｏ）、局所空調機２８を運転する（ステップＳ１０８）とともに、ショーケース２０上面後方側の排気口２５に取り付けられているルーバー２６を局所空調機２８方向に制御する（ステップＳ１０９）。次に、排熱制御装置２７に記憶されている所定時間経過後（ステップＳ１１０：Ｙｅｓ）、局所空調機２８を停止する（ステップＳ１１１）とともに、ショーケース２０上面後方側の排気口２５に取り付けられているルーバー２６をカウンタ１４方向に制御する（ステップＳ１１２）。その後、排熱制御装置に記憶されている所定時間経過後（ステップ１１３：Ｙｅｓ）、ステップＳ１０１へ戻り、外気温度を読み込む。
【００３６】
図４は、本発明の実施の形態１における店舗内排熱処理システムの制御内容の変形例（メイン空調機の設定情報利用時）を示すフローチャートである。
【００３７】
上述した実施の形態１（温度センサー使用時）を示すフローチャートでは、温度センサー２９で計測した外気温度を読み込み（ステップＳ１０１）、排熱制御装置２７に記憶されている閾値１と比較（ステップＳ１０２）あるいは閾値２と比較（ステップＳ１０５）して、制御方法を切替えていたが、本発明においては、図４で示すように、メイン空調機１３の設定情報である冷房運転あるいは暖房運転の設定情報を読み込み（ステップＳ２０１）、設定が冷房運転である場合（ステップＳ２０２：Ｙｅｓ）、局所空調機２８を運転する（ステップＳ２０３）とともに、ショーケース２０上面後方側の排気口２５に取り付けられているルーバー２６を局所空調機２８方向に制御し（ステップＳ２０４）、その後、ステップＳ２０１へ戻り、メイン空調機１３の設定情報を読み込む。
【００３８】
一方、設定が暖房運転である場合（ステップＳ２０５：Ｙｅｓ）、局所空調機２８を停止する（ステップＳ２０６）とともに、ショーケース２０上面後方側の排気口２５に取り付けられているルーバー２６をカウンタ１４方向に制御し（ステップＳ２０７）、その後、ステップＳ２０１へ戻り、メイン空調機１３の設定情報を読み込む。
【００３９】
一方、メイン空調機１３が冷暖房運転を停止している場合（ステップＳ２０５：Ｎｏ）、局所空調機２８を停止する（ステップＳ２０８）とともに、ショーケース２０上面後方側の排気口２５に取り付けられているルーバー２６を上側方向に制御する（ステップＳ２０９）。その後、ステップＳ２０１へ戻り、メイン空調機１３の設定情報を読み込む。
＜実施の形態２＞
図５は、本発明の実施の形態２である店舗内排熱処理システムが適用された店舗の室の内部を上方から見た場合の概略図であり、図６は、図５に示した店舗の室を側方から見た場合の概略図（ショーケース配設側）である。ここで例示する店舗内排熱処理システムは、実施の形態１の店舗内排熱処理システムの構成の中で、ルーバー２６がなく、その代わりに垂れ壁３０を備えて構成している。なお、垂れ壁３０以外の実施の形態１と同様である構成には同一符号を付して説明を省略する。
【００４０】
垂れ壁３０は、冷凍機２３から排出される排熱が店舗内へ流れ出ないようにショーケース２０の上部と天井の隙間に設けたもので、ショーケース２０の近傍天井域に配設された局所空調機２８の設置側を閉口し、局所空調機２８の設置側とは逆方向であるカウンタ１４側を開口して、ショーケース２０の上部面と店舗の側壁と店舗の天井面並びに垂れ壁３０で構成された半閉鎖空間を構成するものである。これにより、局所空調機２８が運転している場合は、排熱が局所空調機２８側に沿って流れ、一方、局所空調機２８が停止している場合は、排熱が開口側であるカウンタ１４方向に流れるようになるのである。
【００４１】
本発明の実施の形態２にかかる排熱制御装置２７は、上述したようにルーバー２６がないことから、局所空調機２８の運転及び停止制御のみを行うものである。
【００４２】
具体的には、排熱制御装置２７は、温度センサー２９により計測した外気温度が閾値１（例えば、２５℃）以上あるいはメイン空調機１３が冷房運転をしている場合、局所空調機２８を運転させる制御（以下、制御３という。）をするものである。
【００４３】
また、排熱制御装置２７は、温度センサー２９により計測した外気温度が閾値２（例えば、１５℃）未満あるいはメイン空調機１３が暖房運転をしている場合、局所空調機２８を停止する制御（以下、制御４という。）をするものである。
【００４４】
また、排熱制御装置２７は、温度センサー２９により計測した外気温度が閾値２以上かつ閾値１未満している場合、所定の時間間隔（例えば、１０分）で制御３と制御４を交互に切替て制御をするものである。なお、閾値１、閾値２、及び所定の時間間隔は、店舗条件，温度条件により可変できるものである。
【００４５】
図７は、本発明の実施の形態２における店舗内排熱処理システムの制御内容（温度センサー使用時）を示すフローチャートである。本発明の実施の形態１における店舗内排熱処理システムの制御内容（温度センサー使用時）を示すフローチャートである図３と比べると、ルーバーの方向制御（ステップＳ１０４、ステップＳ１０７、ステップＳ１０９及びステップＳ１１２）がなく、それ以外は同様の排熱処理となる。
【００４６】
まず、排熱制御装置２７は、温度センサー２９で計測した外気温度を読み込む（ステップＳ１０１）。次に、読み込んだ外気温度と排熱制御装置２７に記憶されている閾値１とを比較する（ステップＳ１０２）。外気温度が閾値１以上である場合（ステップＳ１０２：Ｙｅｓ）、局所空調機２８を運転する（ステップＳ１０３）。その後、ステップＳ１０１へ戻り、外気温度を読み込む。
【００４７】
一方、読み込んだ外気温度が排熱制御装置２７に記憶されている閾値１未満である場合（ステップＳ１０２：Ｎｏ）、外気温度と排熱制御装置２７に記憶されている閾値２とを比較する（ステップＳ１０５）。外気温度が閾値２未満である場合（ステップＳ１０５：Ｙｅｓ）、局所空調機２８を停止する（ステップＳ１０６）。その後、ステップＳ１０１へ戻り、外気温度を読み込む。
【００４８】
一方、外気温度が閾値２以上である場合（ステップＳ１０５：Ｎｏ）、局所空調機２８を運転する（ステップＳ１０８）。次に、排熱制御装置２７に記憶されている所定時間経過後（ステップＳ１１０：Ｙｅｓ）、局所空調機２８を停止する（ステップＳ１１１）。その後、排熱制御装置に記憶されている所定時間経過後（ステップ１１３：Ｙｅｓ）、ステップＳ１０１へ戻り、外気温度を読み込む。
【００４９】
また、図８は、本発明の実施の形態２における店舗内排熱処理システムの制御内容の変形例（メイン空調機の設定情報利用時）を示すフローチャートである。
【００５０】
まず、メイン空調機１３の設定情報である冷房運転あるいは暖房運転の設定情報を読み込み（ステップＳ２０１）、設定が冷房運転である場合（ステップＳ２０２：Ｙｅｓ）、局所空調機２８を運転する（ステップＳ２０３）。その後、ステップＳ２０１へ戻り、メイン空調機１３の設定情報を読み込む。
【００５１】
一方、設定が暖房運転あるいはメイン空調機１３が冷暖房運転を停止している場合（ステップＳ２０２：Ｎｏ）、局所空調機２８を停止する（ステップＳ２０６）。その後、ステップＳ２０１へ戻り、メイン空調機１３の設定情報を読み込む。
【００５２】
このように本発明の実施の形態１及び実施の形態２である店舗内排熱処理システムによれば、局所的な冷房を行う局所空調機を設けることにより、冷凍機から排出される排熱を、排気ダクトを設けることなく処理することができるようになり、初期工事費の低減、メンテナンス性向上という効果が得られる。
【００５３】
また、温度センサーにより計測した外気温度が低い場合、あるいはメイン空調機の設定情報が暖房運転の場合、局所空調機の運転を停止して冷凍機から排出される排熱をカウンタ側へ流れるように制御したことにより、店員の滞在時間が最も長い場所であるカウンタ近傍では排熱暖房効果によりメイン空調機は店舗全体を過剰に温める必要がなくなり、店舗全体の省エネ効果が得られるという効果が得られる。
【００５４】
また、季節の中間期（所定の場所の温度が閾値２以上かつ閾値１未満である場合、あるいは店舗内メイン空調機が冷暖暖房運転を停止している場合）には、排熱処理制御（制御１あるいは制御３）と排熱利用制御（制御２あるいは制御４）を所定の時間間隔で切替えて制御することにしているため、更なる省エネ化が可能となる効果も得られる。
【００５５】
以上、本発明の好適な実施の形態１及び２について説明したが、本発明はこれらに限定されるものではなく、種々の変更を行うことができる。
【００５６】
上述した実施の形態１及び２では、局所的な冷房を目的とした局所空調機２８で排熱を処理し店舗内に戻していたが、換気扇により排熱を外気へ排出してもよい。
【００５７】
上述した実施の形態２では、ショーケースの近傍天井域に配設された局所空調機２８の設置側を閉口して半閉鎖空間を構成するようにしていたが、両端開口しても良い。
【００５８】
上述した実施の形態１及び２では、店舗の室に配設されたショーケースは３台であったが、３台に限定されず、２台以下でも４台以上であっても良い。
【符号の説明】
【００５９】
１０  店舗
１３  メイン空調機
１４  カウンタ
２０  ショーケース
２３  冷凍機
２３１  圧縮機
２３２  凝縮器
２３３  排熱ファン
２４  給気口
２５  排気口
２６  ルーバー
２７  排熱制御装置
２８  局所空調機
２９  温度センサー
３０  垂れ壁
【図１】
2019049394.tif 000003
【図２】
2019049394.tif 000004
【図３】
2019049394.tif 000005
【図４】
2019049394.tif 000006
【図５】
2019049394.tif 000007
【図６】
2019049394.tif 000008
【図７】
2019049394.tif 000009
【図８】
2019049394.tif 000010